(57)【要約】【課題】  補聴器の使用者が使用する携帯電話機からの電磁波により補聴器に生ずる雑音のみならず、その付近で他の人が使用する携帯電話機からの電磁波やその他の電磁波により補聴器に生ずる雑音を低減し、しかも、既存の携帯電話機や補聴器を何ら変更することなく補聴器に生ずる前記雑音を低減する。【解決手段】  補聴器用電磁波遮蔽カバー１１は、補聴器５１の本体５２の少なくとも一部を覆うように、補聴器５１の本体５２に着脱自在の被装材２１を備える。被装材２１は、非磁性金属等で構成された導電層を含む。【選択図】  図１
2005318341.tif 000002
【特許請求の範囲】
【請求項１】
補聴器本体の少なくとも一部を覆うように前記補聴器本体に装着自在の被装材を備え、前記被装材は導電層を含むことを特徴とする補聴器用電磁波遮蔽カバー。
【請求項２】
前記被装材は、前記補聴器本体の音波通過部位及び前記補聴器本体の操作部を除いて前記補聴器本体をほぼ全体的に又は部分的に覆うことを特徴とする請求項１記載の補聴器用電磁波遮蔽カバー。
【請求項３】
前記補聴器本体は、電話機等が出力する誘導磁界を受信する誘導磁界受信素子を有し、
前記被装材は、前記誘導磁界受信素子が前記誘導磁界を主に受け入れる前記補聴器本体の筐体部位を覆うことを特徴とする請求項１又は２記載の補聴器用電磁波遮蔽カバー。
【請求項４】
前記被装材は、その外側面に電気絶縁層を有することを特徴とする請求項１乃至３のいずれかに記載の補聴器用電磁波遮蔽カバー。
【請求項５】
前記被装材は、その前記補聴器本体側の面に剥離紙で覆われた接着剤層を有することを特徴とする請求項１乃至４のいずれかに記載の補聴器用電磁波遮蔽カバー。
【請求項６】
前記被装材は、可撓性を有するシート状に構成されたことを特徴とする請求項１乃至５のいずれかに記載の補聴器用電磁波遮蔽カバー。
【請求項７】
前記被装材は、複数の切り込みが入った可撓性を有するシート状に構成されたことを特徴とする請求項６記載の補聴器用電磁波遮蔽カバー。
【請求項８】
前記被装材は、複数の短冊が並列しかつそれらの間が連結されたような形状を有することを特徴とする請求項７記載の補聴器用電磁波遮蔽カバー。
【請求項９】
前記被装材は、伸縮性を有する基材を含むことを特徴とする請求項６乃至８のいずれかに記載の補聴器用電磁波遮蔽カバー。
【請求項１０】
前記補聴器本体から取り外し自在に構成されたことを特徴とする請求項１乃至４のいずれかに記載の補聴器用電磁波遮蔽カバー。
【請求項１１】
前記被装材は、内側面が前記補聴器本体の外面に適合する被包体を構成し、
前記被包体は、前記補聴器本体に対する着脱時において前記被包体の外部から内部にあるいは内部から外部に前記補聴器本体を挿入又は取り出す際に、前記補聴器本体の出入り口となる開口部が生ずるように弾性変形し得るように構成され、
前記被包体は、前記補聴器本体に対する装着後に、当該被包体の弾性力によって前記開口部が閉じるかあるいは狭まる状態となることで、前記補聴器本体に対して保持されることを特徴とする請求項１０記載の補聴器用電磁波遮蔽カバー。
【請求項１２】
前記被包体は、前記補聴器本体に対する装着後に、当該被包体の弾性力によって前記開口部が狭まる状態となり、
前記被包体の前記補聴器本体に対する装着後に、前記被包体における前記狭まる状態となった前記開口部に、前記補聴器の操作部が位置することを特徴とする請求項１１記載の補聴器用電磁波遮蔽カバー。
【請求項１３】
前記被装材は、２つ割構造を有し内面が前記補聴器本体の外面に適合する被包体を構成することを特徴とする請求項１０記載の補聴器用電磁波遮蔽カバー。
【請求項１４】
前記導電層を網目状又は多孔状としたことを特徴とする請求項１乃至１３のいずれかに記載の補聴器用電磁波遮蔽カバー。
【請求項１５】
前記導電層の厚みが２ミクロン以上であることを特徴とする請求項１乃至１４のいずれかに記載の補聴器用電磁波遮蔽カバー。
【請求項１６】
前記導電層が非磁性金属で構成されたことを特徴とする請求項１乃至１５のいずれかに記載の補聴器用電磁波遮蔽カバー。
【請求項１７】
前記導電層が金属アレルギー非誘発性の金属で構成されたことを特徴とする請求項１乃至１６のいずれかに記載の補聴器用電磁波遮蔽カバー。
【発明の詳細な説明】
【技術分野】
【０００１】
本発明は、補聴器用電磁波遮蔽カバーに関するものである。
【背景技術】
【０００２】
図１７は、従来技術における補聴器１と携帯電話機２との関係を模式的に示す概略図である。図１７に示すように、補聴器１の本体の内部には、高感度の増幅器４や外部音を拾うためのマイクロフォン３やスピーカ５が内蔵されるとともに、携帯電話機２やその他の電話機等から、音声信号を誘導磁界として音声信号を受け取る誘導磁界受信素子としての受信コイル（Ｔ−Ｃｏｉｌと呼ばれる場合もある。）６も内蔵されるようになってきた。この誘導磁界はオーディオ信号であるため、その周波数は、例えば４ｋＨｚ以下であり低い。受信コイル６からの音声信号とマイクロフォン３からの音声信号は、同時に増幅等されてスピーカ５から発音されたり、あるいは、使用者が切替スイッチで選択した一方の音声信号のみが増幅等されてスピーカ５から発音されたりする。勿論、補聴器１には、受信コイル６が内蔵されない場合もある。
【０００３】
一方、携帯電話機２がデジタル化されたのに伴い、携帯電話機２のアンテナ８からのバースト状の電磁波が、図１７中の矢印Ｘ１で示すように、補聴器１のマイクロフォン３や受信コイル６や増幅器４等から侵入し、増幅器４の非線形性を介して大きな雑音を与えることが近年しばしば問題となっている。この問題は、受信コイル６が内蔵されていない補聴器においても生じている。携帯電話機２からの電磁波の周波数は非常に高く、数百ＭＨｚ以上である。
【０００４】
なお、図１７に示す例では、携帯電話機２は、音声信号を誘導磁界として出力するコイル７を図示しないスピーカとは別に有しているが、このコイル７としてスピーカのコイルが用いられる場合もある。使用者が補聴器１を使用しながら携帯電話機２を使用すると、音声信号が携帯電話機２のコイル７から、図１７中の磁力線Ｙで示すような誘導磁界として出力され、この誘導磁界が補聴器１の受信コイル６により受信される。また、携帯電話機２の図示しないスピーカから発した音波が、図１７中の矢印Ｘ２で示すように、マイクロフォン３に捉えられる。
【０００５】
下記の特許文献１に開示された携帯電話機は、当該携帯電話機から発生した電磁波によって補聴器に生ずる雑音を低減するために、当該携帯電話機から発生した電磁波が当該携帯電話機の使用者が使用している補聴器に進入する経路を遮蔽するように位置決めされた遮蔽板を、含んでいる。
【特許文献１】特許第２５８８３００号公報
【発明の開示】
【発明が解決しようとする課題】
【０００６】
しかしながら、前記特許文献１に開示された携帯電話機では、当該携帯電話機に前述した位置に位置決めして遮蔽板を設けるものであるため、補聴器の使用者が前記遮蔽板を設けた携帯電話機を使用する場合に、当該使用者が使用する携帯電話機からの電磁波により当該補聴器に生ずる雑音は低減されるが、他の人が前記遮蔽板を有していない通常の携帯電話機を補聴器の使用者の付近で使用すると、当該他の人の携帯電話機からの電磁波は前記遮蔽板によって遮蔽されずに補聴器に侵入してしまい、補聴器に大きな雑音が生じてしまう。
【０００７】
本発明は、このような事情に鑑みてなされたもので、補聴器の使用者が使用する携帯電話機からの電磁波により補聴器に生ずる雑音のみならず、その付近で他の人が使用する携帯電話機からの電磁波やその他の電磁波により補聴器に生ずる雑音を低減し、しかも、既存の携帯電話機や補聴器を何ら変更することなく補聴器に生ずる前記雑音を低減することを目的とする。
【課題を解決するための手段】
【０００８】
前記課題を解決するため、本発明の第１の態様による補聴器用電磁波遮蔽カバーは、補聴器本体の少なくとも一部を覆うように前記補聴器本体に装着自在の被装材を備え、前記被装材は導電層を含むものである。
【０００９】
この第１の態様によれば、前記被装材が導電層を含むので、当該被装材を既存の補聴器本体に装着するだけで、当該電磁波の発生元を問わずに当該補聴器に侵入する電磁波が前記導電層によって低減され、これにより、当該補聴器に侵入する電磁波により当該補聴器に生ずる雑音が低減される。したがって、この第１の態様によれば、補聴器の使用者が使用する携帯電話機からの電磁波により補聴器に生ずる雑音のみならず、その付近で他の人が使用する携帯電話機からの電磁波やその他の電磁波により補聴器に生ずる雑音を低減することができ、しかも、既存の携帯電話機や補聴器を何ら変更することなく補聴器に生ずる前記雑音を低減することができる。
【００１０】
本発明の第２の態様による補聴器用電磁波遮蔽カバーは、前記第１の態様において、前記被装材は、前記補聴器本体の音波通過部位及び前記補聴器本体の操作部を除いて前記補聴器本体をほぼ全体的に又は部分的に覆うものである。
【００１１】
この第２の態様によれば、前記被装材が補聴器本体の音波通過部位及び補聴器本体の操作部については覆わないことから、補聴器のマイクロフォンが拾おうとする外部音が低減されるのを防止することができるとともに、補聴器の操作性を損なうおそれがなくなるので、好ましい。
【００１２】
本発明の第３の態様による補聴器用電磁波遮蔽カバーは、前記第１又は第２の態様において、前記補聴器本体は、電話機等が出力する誘導磁界を受信する誘導磁界受信素子を有し、前記被装材は、前記誘導磁界受信素子が前記誘導磁界を主に受け入れる前記補聴器本体の筐体部位を覆うものである。
【００１３】
この第３の態様によれば、前記誘導磁界受信素子が前記誘導磁界を主に受け入れる前記補聴器本体の筐体部位からの、電磁波の補聴器本体への侵入を低減することができ、ひいては、前記被装材がこの筐体部位を覆わない場合に比べて、携帯電話機等から補聴器に侵入する電磁波により補聴器に生ずる雑音を一層低減することができるので、好ましい。
【００１４】
特別に配慮せずに通常の遮蔽技術を適用しようとすると、前記被装材がこの筐体部位を覆わないようにしてしまう。本発明者の検討の結果、前記被装材で覆っても、被装材の導電層の材料や厚みを適宜選択することで、誘導磁界受信素子が受け入れる誘導磁界をほとんど又はさほど低減させずに、携帯電話機等からの電磁波を有効に低減することができ、いわばフィルタのように作用させることができることが、判明した。すなわち、前記誘導磁界受信素子は前述したように４ｋＨｚ程度以下の低周波の誘導磁界を受け入れる一方、携帯電話機等からの電磁波の周波数は数百ＭＨｚ以上であり高い。このように、誘導磁界受信素子が受け入れるのは誘導磁界であってしかもその周波数は低い一方、携帯電話機等からの電磁波の周波数は高い。よって、例えば、前記被装材の導電層を非磁性金属層で構成すれば、誘導磁界受信素子が受け入れる誘導磁界が実質的に低下しないとともに、携帯電話機等からの電磁波を有効に低減することができる。また、例えば、前記被装材の導電層を磁性材料で構成しても、その厚みが比較的薄ければ誘導磁界受信素子が受け入れる誘導磁界はさほど低下しないとともに、携帯電話機等からの電磁波の周波数が高いことから表皮効果（Skin Effect）によって、導電層の厚みが薄くても携帯電話機等からの電磁波を有効に低減することができる。
【００１５】
本発明の第４の態様による補聴器用電磁波遮蔽カバーは、前記第１乃至第３のいずれかの態様において、前記被装材は、その外側面に電気絶縁層を有するものである。
【００１６】
この第４の態様によれば、被装材の外側面に電気絶縁層が配置されているので、当該電気絶縁層が補聴器の使用者に接することになる。したがって、補聴器の使用者への金属アレルギーの影響が無くなり、また、汗や汚れの清浄も簡単に行えるので、好ましい。
【００１７】
本発明の第５の態様による補聴器用電磁波遮蔽カバーは、前記第１乃至第４のいずれかの態様において、前記被装材は、その前記補聴器本体側の面に剥離紙で覆われた接着剤層を有するものである。
【００１８】
この第５の態様によれば、剥離紙を剥離することで、前記接着剤層により前記被装材を補聴器本体に対して装着することができる。したがって、この第５の態様によれば、被装材を補聴器本体に装着するとその取り外しは必ずしも容易ではないものの、被装材を補聴器本体に対して簡単に装着することができる。
【００１９】
本発明の第６の態様による補聴器用電磁波遮蔽カバーは、前記第１乃至第５のいずれかの態様において、前記被装材は、可撓性を有するシート状に構成されたものである。この第６の態様は、被装材の形態の例を挙げたものである。
【００２０】
本発明の第７の態様による補聴器用電磁波遮蔽カバーは、前記第６の態様において、前記被装材は、複数の切り込みが入ったシート状に構成されたものである。
【００２１】
この第７の態様によれば、補聴器本体の形状が複雑であっても、被装材を補聴器本体に容易に装着することができる。
【００２２】
本発明の第８の態様による補聴器用電磁波遮蔽カバーは、前記第７の態様において、前記被装材は、複数の短冊が並列しかつそれらの間が連結されたような形状を有するものである。この第８の態様は、切り込みによる形状の例を挙げたものである。
【００２３】
本発明の第９の態様による補聴器用電磁波遮蔽カバーは、前記第６乃至第８のいずれかの態様において、前記被装材は、伸縮性を有する基材を含むものである。
【００２４】
この第９の態様のように、被装材の基材として伸縮性を有する基材を用いると、被装材をより容易に補聴器本体に装着することができる。
【００２５】
本発明の第１０の態様による補聴器用電磁波遮蔽カバーは、前記第１乃至第４のいずれかの態様において、前記補聴器本体から取り外し自在に構成されたものである。
【００２６】
この第１０の態様によれば、当該補聴器用電磁波遮蔽カバーの交換等が容易となるので好ましい。補聴器用電磁波遮蔽カバーは使用者に接して使用されるので、汚れの付着や劣化等が進行し易いため、当該補聴器用電磁波遮蔽カバーの交換等が容易であることは、実用上極めて大きい利点である。
【００２７】
本発明の第１１の態様による補聴器用電磁波遮蔽カバーは、前記第１０の態様において、前記被装材は、内側面が前記補聴器本体の外面に適合する被包体を構成し、前記被包体は、前記補聴器本体に対する着脱時において前記被包体の外部から内部にあるいは内部から外部に前記補聴器本体を挿入又は取り出す際に、前記補聴器本体の出入り口となる開口部が生ずるように弾性変形し得るように構成され、前記被包体は、前記補聴器本体に対する装着後に、当該被包体の弾性力によって前記開口部が閉じるかあるいは狭まる状態となることで、前記補聴器本体に対して保持されるものである。
【００２８】
この第１１の態様によれば、当該被包体を弾性変形させるだけで補聴器用電磁波遮蔽カバーの着脱を行うことができるので、その着脱が極めて容易となる。
【００２９】
本発明の第１２の態様による補聴器用電磁波遮蔽カバーは、前記第１１の態様において、前記被包体は、前記補聴器本体に対する装着後に、当該被包体の弾性力によって前記開口部が狭まる状態となり、前記被包体の前記補聴器本体に対する装着後に、前記被包体における前記狭まる状態となった前記開口部に、前記補聴器の操作部が位置するものである。
【００３０】
この第１２の態様によれば、前記狭まる状態となった前記開口部が、前記補聴器の操作部を逃げるための開口部としても利用されるので、前記補聴器の操作部を逃げるための開口部を特別に別個に設ける必要がなくなり、好ましい。
【００３１】
本発明の第１３の態様による補聴器用電磁波遮蔽カバーは、前記第１０の態様において、前記被装材は、２つ割構造を有し内面が前記補聴器本体の外面に適合する被包体を構成するものである。
【００３２】
この第１３の態様によれば、２つ割構造が採用されているので、補聴器用電磁波遮蔽カバーを簡単に着脱することができる。
【００３３】
本発明の第１４の態様による補聴器用電磁波遮蔽カバーは、前記第１乃至第１３のいずれかの態様において、前記導電層を網目状又は多孔状としたものである。
【００３４】
前記第１乃至第１３の態様では前記導電層は全面的に形成してもよいが、この第１４の態様のように、前記導電層を網目状又は多孔状すると、前記電磁波の遮蔽性能を維持しながら前記導電層の材料を節約することができ、好ましい。
【００３５】
本発明の第１５の態様による補聴器用電磁波遮蔽カバーは、前記第１乃至第１４のいずれかの態様において、前記導電層の厚みが２ミクロン以上であるものである。前記導電層の厚みは３ミクロン以上であることがより好ましく、５ミクロン以上であることがより一層好ましい。
【００３６】
前記導電層の厚みがあまりに薄いと、前記電磁波の遮蔽性能が大きく損なわれてしまう。したがって、前記第１５の態様のように、前記導電層の厚みは２ミクロン以上であることが好ましい。この数値は、各材料の表皮深さの計算値から得たものである。例えば、アルミニウムの表皮深さは、周波数が１．５ＧＨｚの場合は約２ミクロン、周波数が８００ＭＨｚの場合は約３ミクロンである。
【００３７】
本発明の第１６の態様による補聴器用電磁波遮蔽カバーは、前記第１乃至第１５の態様において、前記導電層が非磁性金属で構成されたものである。非磁性金属としては、例えば、金、銀、銅、アルミニウムなどを挙げることができる。
【００３８】
この第１６の態様によれば、前記導電層が非磁性金属で構成されていることから、誘導磁界受信素子が受け入れる誘導磁界が実質的に低下しないので、好ましい。
【００３９】
本発明の第１７の態様による補聴器用電磁波遮蔽カバーは、前記第１乃至第１６のいずれかの態様において、前記導電層が金属アレルギー非誘発性の金属で構成されたものである。金属アレルギー非誘発性の金属としては、例えば、金を挙げることができる。
【００４０】
この第１７の態様によれば、前記導電層が金属アレルギー非誘発性の金属で構成されているので、前記導電層が被装材の外側面に形成されても、補聴器の使用者への金属アレルギーの影響が無くなる。
【発明の効果】
【００４１】
本発明によれば、補聴器の使用者が使用する携帯電話機からの電磁波により補聴器に生ずる雑音のみならず、その付近で他の人が使用する携帯電話機からの電磁波やその他の電磁波により補聴器に生ずる雑音を低減し、しかも、既存の携帯電話機や補聴器を何ら変更することなく補聴器に生ずる前記雑音を低減することができる。
【発明を実施するための最良の形態】
【００４２】
以下、本発明による補聴器用電磁波遮蔽カバーについて、図面を参照して説明する。
【００４３】
［第１の実施の形態］
【００４４】
図１は、本発明の第１の実施の形態による補聴器用電磁波遮蔽カバー１１を補聴器５１の本体５２に装着した状態を模式的に示す概略正面図である。図２は、図１中のＡ−Ａ’矢視図である。図３は、図１中のＢ−Ｂ’線に沿った断面を模式的に示す概略断面図である。図３では、補聴器５１の本体５２の内部構造を省略して示している。図４は、図１に示す補聴器用電磁波遮蔽カバー１１を補聴器５１の本体５２に対して着脱する際の様子を模式的に示す概略断面図であり、図３に対応している。
【００４５】
補聴器５１は、前述した図１７中の補聴器１と同様の構成を有し、かつ、耳掛け形として構成されている。補聴器５１は、その本体５２内に、携帯電話機やその他の電話機等から音声信号を誘導磁界として音声信号を受け取る誘導磁界受信素子としての受信コイル５３を有している。また、補聴器５１は、その本体５２に、音量調整摘み等の操作部５４、及び、外部からの音を導入する音波通過部位としての音孔５５を、有している。さらに、補聴器５１は、本体５２に接続される音導チューブ５６及びその先端の耳栓５７を有している。
【００４６】
本実施の形態による補聴器用電磁波遮蔽カバー１１は、被装材２１で構成されている。被装材２１は、外側の電気絶縁層２２と内側の導電層２３とから構成されている。
【００４７】
本実施の形態では、被装材２１は、補聴器５１の本体５２に対して着脱自在（装着自在及び取り外し自在）で、かつ、内側面が補聴器５１の本体５２の外面に適合する被包体を、構成している。本実施の形態では、この被包体は、補聴器５１の本体５２の形に合わせた断面Ｃ字状の形状を持ち、断面Ｃ字状の開口側を図４に示すように拡大し得るように弾性変形可能になっている。電気絶縁層２２を例えば樹脂で構成しその材料や厚み等を適宜設定することで、前記被包体にこのような弾性を付与することができる。具体的には、電気絶縁層２２は、例えば、ポリカーボネートで構成することができる。
【００４８】
本実施の形態では、前記被包体は、断面Ｃ字状の形状を持つことで、補聴器５１の本体５２に対する着脱時において前記被包体の外部から内部にあるいは内部から外部に補聴器５１の本体５２挿入又は取り出す際に、図４に示すように、補聴器５１の本体５２の出入り口となる開口部Ｇが生ずるように弾性変形し得るようになっている。前記被包体は、この開口部Ｇの付近に、図３に示すように装着後に補聴器５１の本体５２に回り込む回り込み部２１ａを有している。前記被包体は、補聴器５１の本体５２に対する装着後に、図３に示すように、当該被包体の弾性力によって開口部Ｇが狭まる状態となることで、回り込み部２１ａが補聴器５１の本体５２の背側に回り込んで補聴器５１の本体５２に対して保持される。なお、回り込み部２１ａを延ばすことによって、前記被包体は、補聴器５１の本体５２に対する装着後に、図３に示すように、当該被包体の弾性力によって開口部Ｇが閉じる状態となるようにしてもよい。
【００４９】
本実施の形態では、開口部Ｇの位置は、図２に示すように設定されている。すなわち、前記被包体の補聴器５１の本体５２に対する装着後に、図２及び図３に示すように前記被包体における狭まる状態となった開口部Ｇに、補聴器５１の操作部５４及び音孔５５が位置するように、設定されている。これにより、狭まる状態となった開口部Ｇが、補聴器５１の操作部５４及び音孔５５を逃げるための開口部としても利用されているので、補聴器５１の操作部５４及び音孔５５を逃げるための開口部を特別に別個に設ける必要がなくなり、好ましい。
【００５０】
本実施の形態では、導電層２３は、前記断面Ｃ字状の形状に成形された電気絶縁層２２の内側面の全面に、例えば蒸着又はメッキ等により形成されている。図１に示すように、被装材２１（したがって、導電層２３）は、受信コイル５３が電話機等が出力する誘導磁界を主に受け入れる補聴器５１の本体５２の筐体部位を覆っている。
【００５１】
導電層２３は、携帯電話機等からの電磁波を遮蔽する一方、受信コイル５３が受け入れる誘導磁界を実質的に低下させないためには、例えば金、銀、銅、アルミニウムなどの非磁性金属で構成することが好ましい。もっとも、導電層２３を磁性材料で構成しても、その厚みを比較的薄くすれば、受信コイル５３が受け入れる誘導磁界はさほど低下しない。なお、導電層２３は、単層に限定されるものではなく、複数層で構成してもよく、例えば、ある金属層とその下地層とで構成してもよい。
【００５２】
携帯電話機等からの電磁波の遮蔽性能をある程度以上得るためには、導電層２３の厚みは２ミクロン以上であることが好ましく、３ミクロン以上であることがより好ましく、５ミクロン以上であることがより一層好ましい。
【００５３】
本実施の形態による補聴器用電磁波遮蔽カバー１１では、被装材２１が導電層２３を含むので、当該被装材２１を市販の補聴器５１の本体５２に装着するだけで、当該電磁波の発生元を問わずに当該補聴器５１に侵入する電磁波が導電層２３によって低減され、これにより、当該補聴器５４に侵入する電磁波により当該補聴器５１に生ずる雑音が低減される。したがって、本実施の形態によれば、補聴器５１の使用者が使用する携帯電話機からの電磁波により補聴器５１に生ずる雑音のみならず、その付近で他の人が使用する携帯電話機からの電磁波やその他の電磁波により補聴器５１に生ずる雑音を低減することができ、しかも、既存の携帯電話機や補聴器５１を何ら変更することなく補聴器５１に生ずる前記雑音を低減することができる。
【００５４】
また、本実施の形態によれば、被装材２１が補聴器５１の本体５２の音孔５５付近及び補聴器５１の本体５２の操作部５４については覆わないことから、補聴器５１のマイクロフォンが拾おうとする外部音が低減されるのを防止することができるとともに、補聴器５１の操作性を損なうおそれがなくなる。なお、前述した開口部Ｇは、電磁波の遮蔽性能を一般的には低下させるが、開口部Ｇのサイズを携帯電話機等からの電磁波の波長（例えば、１．５ＧＨｚの場合２０ｃｍ）に対して著しく小さくできるので、実用上充分なる電磁波遮蔽性能を得ることができる。
【００５５】
さらに、本実施の形態では、前述したように、被装材２１（したがって、導電層２３）は、受信コイル５３が電話機等が出力する誘導磁界を主に受け入れる補聴器５１の本体５２の筐体部位を覆っている。したがって、本実施の形態によれば、この筐体部位からの電磁波の侵入を低減することができ、ひいては、被装材２１がこの筐体部位を覆わない場合に比べて、携帯電話機等から補聴器５１に侵入する電磁波により補聴器５１に生ずる雑音を一層低減することができる。被装材２１でこの筐体部位を覆っても、被装材２１の導電層２３の材料や厚みを適宜選択することで、受信コイル５３が受け入れる誘導磁界をほとんど又はさほど低減させずに、携帯電話機等からの電磁波を有効に低減することができ、いわばフィルタのように作用させることができる。
【００５６】
さらにまた、本実施の形態によれば、被装材２１の外側面に電気絶縁層２２が配置されるので、電気絶縁層２２が補聴器５１の使用者に接することになる。したがって、補聴器５１の使用者への金属アレルギーの影響が無くなり、また、汗や汚れの清浄も簡単に行えるので、好ましい。もっとも、本発明では、導電層２３の方を被装材２１の外側面に配置してもよい。この場合であっても、導電層２３、特にその最外側面を構成する層を、金属アレルギー非誘発性の金属（例えば、金）で構成すれば、金属アレルギーの影響は無くなる。
【００５７】
また、本実施の形態では、被装材２１の外側面に配置された電気絶縁層２２が樹脂で構成されているので、任意の色に着色でき、肌色等の目立たない色や、積極的な色表現も付けることができる。
【００５８】
また、本実施の形態による補聴器用電磁波遮蔽カバー１１は、補聴器５１の本体５２に対して着脱自在であるので、当該補聴器用電磁波遮蔽カバー１１の交換等が容易となる。補聴器用電磁波遮蔽カバー１１は使用者に接して使用されるので、汚れの付着や劣化等が進行し易いため、当該補聴器用電磁波遮蔽カバー１１の交換等が容易であることは、実用上極めて大きい利点である。
【００５９】
そして、本実施の形態では、着脱自在の具体的な構造として前述した構造を採用しているので、被装材２１が構成する被包体を図４に示すように弾性変形させるだけで、補聴器用電磁波遮蔽カバー１１を補聴器５１の本体５２に着脱し得るため、その着脱が極めて容易となる。
【００６０】
［第２の実施の形態］
【００６１】
図５は、本発明の第２の実施の形態による補聴器用電磁波遮蔽カバー３１を模式的に示す概略平面図である。図６は、図５中のＣ−Ｃ’線に沿った概略断面図である。図７は、図５に示す補聴器用電磁波遮蔽カバー３１を前述した補聴器５１の本体５２に装着した状態を模式的に示す概略正面図である。図８は、図７中のＤ−Ｄ’線に沿った概略断面図である。図８では、補聴器５１の本体５２の内部構造を省略するとともに、補聴器用電磁波遮蔽カバー３１の被装材４１を構成する層４２〜４４の区別は省略して示している。
【００６２】
本実施の形態による補聴器用電磁波遮蔽カバー３１は、可撓性を有するシート状に構成された被装材４１で構成されている。被装材４１は、図６に示すように、外側面の側から順に積層された、基材としての電気絶縁層４２と、導電層４３と、接着剤層４４と、剥離紙４５とから構成されている。電気絶縁層４２として、伸縮性を有する樹脂フィルム（例えば、ポリエチレンからなるフィルム）が用いられている。導電層４３として例えば金属箔が用いられている。導電層４３は接着剤等で電気絶縁層４２に貼り付けられているが、図面ではその接着剤層は省略している。本実施の形態では、導電層４３は、被装材４１の全面に形成されている。なお、導電層４３はメッキ等で形成してもよい。導電層４３の材料としては、前述した図３及び図４中の導電層２３と同じ材料を用いることができる。
【００６３】
本実施の形態による補聴器用電磁波遮蔽カバー３１は、補聴器５１の本体５２に装着する際には、図７及び図８に示すように、電気絶縁層４２が外側に位置するようにして、剥離紙４５を剥離して接着剤層４４により補聴器５１の本体５２に貼り付ける。被装材４１はハサミやカッター等で切断できるようになっており、図７に示す例では、被装材４１は、適宜の大きさ形状に切断して補聴器５１の本体５２の接着することで、補聴器５１の本体５２の外面のほぼ全体を覆っている。ただし、被装材４１は、その一部が切除されて、操作部５４の付近及び音孔５５（図７及び図８では現れていない。図２参照）の付近は覆っていない。
【００６４】
本実施の形態による補聴器用電磁波遮蔽カバー３１では、被装材４１が導電層４３を含むので、当該被装材４１を市販の補聴器５１の本体５２に装着するだけで、当該電磁波の発生元を問わずに当該補聴器５１に侵入する電磁波が導電層４３によって低減され、これにより、当該補聴器５４に侵入する電磁波により当該補聴器５１に生ずる雑音が低減される。したがって、本実施の形態によれば、前記第１の実施の形態と同様に、補聴器５１の使用者が使用する携帯電話機からの電磁波により補聴器５１に生ずる雑音のみならず、その付近で他の人が使用する携帯電話機からの電磁波やその他の電磁波により補聴器５１に生ずる雑音を低減することができ、しかも、既存の携帯電話機や補聴器５１を何ら変更することなく補聴器５１に生ずる前記雑音を低減することができる。
【００６５】
また、本実施の形態によれば、被装材４１が補聴器５１の本体５２の音孔５５付近及び補聴器５１の本体５２の操作部５４については覆わないでおくことができることから、補聴器５１のマイクロフォンが拾おうとする外部音が低減されるのを防止することができるとともに、補聴器５１の操作性を損なうおそれがなくなる。
【００６６】
さらに、本実施の形態では、前述したように、被装材４１（したがって、導電層４３）は、受信コイル５３が電話機等が出力する誘導磁界を主に受け入れる補聴器５１の本体５２の筐体部位を覆っている。したがって、本実施の形態によれば、この筐体部位からの電磁波の侵入を低減することができ、ひいては、被装材４１がこの筐体部位を覆わない場合に比べて、携帯電話機等から補聴器５１に侵入する電磁波により補聴器５１に生ずる雑音を一層低減することができる。被装材４１でこの筐体部位を覆っても、被装材４１の導電層４３の材料や厚みを適宜選択することで、受信コイル５３が受け入れる誘導磁界をほとんど又はさほど低減させずに、携帯電話機等からの電磁波を有効に低減することができ、いわばフィルタのように作用させることができる。
【００６７】
さらにまた、本実施の形態によれば、被装材４１の外側面に電気絶縁層４２が配置されるので、電気絶縁層４２が補聴器５１の使用者に接することになる。したがって、補聴器４１の使用者への金属アレルギーの影響が無くなり、また、汗や汚れの清浄も簡単に行えるので、好ましい。もっとも、本発明では、導電層４３の方を被装材４１の外側面に配置してもよい。この場合であっても、導電層４３、特にその最外側面を構成する層を、金属アレルギー非誘発性の金属（例えば、金）で構成すれば、金属アレルギーの影響は無くなる。
【００６８】
また、本実施の形態では、被装材４１の外側面に配置された電気絶縁層２２が樹脂で構成されているので、任意の色に着色でき、肌色等の目立たない色や、積極的な色表現も付けることができる。
【００６９】
本実施の形態による補聴器用電磁波遮蔽カバー３１は、前記第１の実施の形態による補聴器用電磁波遮蔽カバー１１と異なり、補聴器５１の本体５２に対して装着自在であるが取り外し自在ではない。しかしながら、本実施の形態による補聴器用電磁波遮蔽カバー３１では、被装材４１が可撓性をシート状に構成されているだけであるので、その構造は極めて簡単であり、安価に提供することができる。また、本実施の形態では、剥離紙４５を剥離することで、接着剤層４４により被装材４１を補聴器５１の本体５２に対して装着することができるので、被装材４１を補聴器５１の本体５２に対して簡単に装着できる。特に、本実施の形態では、基材となる電気絶縁層４２が伸縮性を有しているので、被装材４１を補聴器５１の本体５２に対してより容易に装着できる。もっとも、電気絶縁層４２は可撓性を有していれば、必ずしも伸縮性を有していなくてもよい。
【００７０】
［第３の実施の形態］
【００７１】
図９は、本発明の第３の実施の形態による補聴器用電磁波遮蔽カバー６１を模式的に示す概略平面図である。図１０は、図９に示す補聴器用電磁波遮蔽カバー３１を前述した補聴器５１の本体５２に装着した状態を模式的に示す概略正面図である。
【００７２】
本実施の形態による補聴器用電磁波遮蔽カバー６１は、可撓性を有するシート状に構成された被装材７１で構成されている。被装材７１は前記被装材４１と同じ断面構造を有するが、前記被装材４１には切り込みが入っていないのに対し、被装材７１には複数の切り込み７１ａが入っている点で、両者は異なる。被装材７１は、図９に示すように、複数の切り込み７１ａが入っていることで、複数の短冊が並列しかつそれらの間が中央付近で連結されたような形状を有している。
【００７３】
本実施の形態による補聴器用電磁波遮蔽カバー６１も、前記第２の実施の形態による補聴器用電磁波遮蔽カバー３１と同様に、補聴器５１の本体５２に装着する際には、電気絶縁層が外側に位置するようにして、剥離紙を剥離して接着剤層により補聴器５１の本体５２に貼り付ける。
【００７４】
このとき、本実施の形態では、被装材７１は、複数の切り込み７１ａにより図９に示す形状を有しているので、図１０に示すように、どんな複雑な形状の補聴器５１の本体５２にも一層容易に貼り付けることができる。なお、被装材７１には切り込み７１ａが入っているだけで各部分が連続しており、導電層４３の各部分の電位は同一の高周波電位となるので、電磁波遮蔽効果の低下はわずかである。
【００７５】
以上の点以外については、本実施の形態によっても、前記第２の実施の形態と同様の利点が得られる。
【００７６】
なお、図１０に示すように、貼り付け面に間隙部ができた場合、電磁波の遮蔽性能を一般的には低下させるが、間隙部のサイズを携帯電話機等からの電磁波の波長（例えば、１．５ＧＨｚの場合２０ｃｍ）に対して著しく小さくできるので、実用上充分なる電磁波遮蔽性能を得ることができる。
【００７７】
［第４の実施の形態］
【００７８】
図１１は、本発明の第４の実施の形態による補聴器用電磁波遮蔽カバー８１を前述した補聴器５１の本体５２に対して着脱する際の様子を模式的に示す概略斜視図である。図１２は、図１１中のＥ−Ｅ’線に沿った断面を模式的に示す概略断面図である。図１２では、補聴器５１の本体５２の内部構造を省略して示している。図１３は、図１１に示す補聴器用電磁波遮蔽カバー８１を前述した補聴器５１の本体５２に対して装着した状態を模式的に示す概略断面図であり、図１２に対応している。
【００７９】
本実施の形態による補聴器用電磁波遮蔽カバー８１は、２つの被装材９１Ａ，９１Ｂで構成されている。被装材９１Ａは、外側の電気絶縁層９２Ａと内側の導電層９３Ａとから構成されている。同様に、被装材９１Ｂは、外側の電気絶縁層９２Ｂと内側の導電層９３Ｂとから構成されている。電気絶縁層９２Ａ，９２Ｂは、例えば、ポリカーボネートなどの樹脂で構成することができる。導電層９３Ａ，９３Ｂは、予め成形された電気絶縁層９２Ａの内側面の全面、及び、予め成形された電気絶縁層９２Ａの内側面の全面に、例えば蒸着又はメッキ等によりそれぞれ形成されている。導電層９３Ａ，９３Ｂの材料としては、前述した図３及び図４中の導電層２３と同じ材料を用いることができる。
【００８０】
本実施の形態では、２つ被装材９１Ａ，９１Ｂは、補聴器５１の本体５２に対して着脱自在（装着自在及び取り外し自在）で、かつ、２つ割構造を有し内側面が補聴器５１の本体５２の外面に適合する被包体を、構成している。本実施の形態では、この被包体は、補聴器５１の本体５２のほぼ全体を被包するように補聴器５１の本体５２の形に合わせた形状を持っている。各被装材９１Ａ，９１Ｂは、補聴器５１の本体５２を略半分ずつ被包するようになっている。
【００８１】
前記被包体は、２つ割構造を持つことで、補聴器５１の本体５２に対して着脱自在になっている。本実施の形態では、一方の被装材９１Ａで構成された略半分の被包体部分と、他方の被装材９１Ｂで構成された略半分の被包体部分とが、図１３に示すように補聴器５１の本体５２を被包した状態において一方の被包体部分の所定箇所に形成された凸部９１Ａｃと他方の被包体部分の対応箇所に形成された凹部９１Ｂｃとが互いに嵌合することによって、２つの被包体部分が補聴器５１の本体５２に対して保持され、図１２に示すように両者の嵌合を外して２つの被包体部分を分離することにより、２つの被包体部分を補聴器５１の本体５２から取り外すことができるようになっている。
【００８２】
２つの被包体部分には、図１１に示すように、補聴器５１の操作部５４及び音孔５５を逃げるための開口部をなす切欠部９１Ａａ，９１Ａｂ，９１Ｂａ，９１Ｂｂが形成されている。
【００８３】
本実施の形態によれば、前述した第１の実施の形態と同様の利点が得られる。
【００８４】
本実施の形態では、一方の被包体部分に形成した凸部９１Ａｃと他方の被包体部分に形成した凹部９１Ｂｃとの嵌合によって２つの被包体部分が補聴器５１の本体５２に対して保持されるようになっているが、その代わりに、例えば、図１４に示すような構造を採用することができる。図１４に示す例では、補聴器５１の本体５２に凹部５２ａが形成され、これに対応して、被装材９１Ａによる被包体部分に凸部９１Ａｄが形成されるとともに、被装材９１Ｂによる被包体部分に凸部９１Ｂｄが形成され、凸部９１Ａｄ，９１Ｂｄが凹部５２ａに嵌合することによって、２つの被包体部分が補聴器５１の本体５２に対して保持される。
【００８５】
以上、本発明の各実施の形態について説明したが、本発明はこれらの実施の形態に限定されるものではない。
【００８６】
例えば、前記第２の実施の形態では、導電層４３が被装材４１の全面に形成されていたが、その代わりに、導電層４３を図１５に示すように網目状に形成したり、図１６に示すように多孔状にしたりしてもよい。図１５及び図１６はそれぞれ導電層４３の他のパターン例を示す図である。これらの場合には、充分なる電磁波遮蔽性能を確保しながら、使用する導電材料の使用量を減らして価格低減を図ることができる。他の実施の形態による補聴器用電磁波遮蔽カバーにおける導電層についても、同様に網目状や多孔状にしてもよい。
【００８７】
また、前述した各実施の形態は、装着対象となる補聴器５１が耳掛け形の例であったが、本発明による補聴器用電磁波遮蔽カバーの装着対象は、挿耳形補聴器、箱形などのポケット型補聴器、めがね形補聴器などでもよい。
【図面の簡単な説明】
【００８８】
【図１】本発明の第１の実施の形態による補聴器用電磁波遮蔽カバーを補聴器本体に装着した状態を模式的に示す概略正面図である。
【図２】図１中のＡ−Ａ’矢視図である。
【図３】図１中のＢ−Ｂ’線に沿った断面を模式的に示す概略断面図である。
【図４】図１に示す補聴器用電磁波遮蔽カバーを補聴器本体に対して着脱する際の様子を模式的に示す概略断面図である。
【図５】本発明の第２の実施の形態による補聴器用電磁波遮蔽カバーを模式的に示す概略平面図である。
【図６】図５中のＣ−Ｃ’線に沿った概略断面図である。
【図７】図５に示す補聴器用電磁波遮蔽カバーを補聴器本体に装着した状態を模式的に示す概略正面図である。
【図８】図７中のＤ−Ｄ’線に沿った概略断面図である。
【図９】本発明の第３の実施の形態による補聴器用電磁波遮蔽カバーを模式的に示す概略平面図である。
【図１０】図９に示す補聴器用電磁波遮蔽カバーを前述した補聴器本体に装着した状態を模式的に示す概略正面図である。
【図１１】本発明の第４の実施の形態による補聴器用電磁波遮蔽カバーを補聴器本体に対して着脱する際の様子を模式的に示す概略斜視図である。
【図１２】図１１中のＥ−Ｅ’線に沿った断面を模式的に示す概略断面図である。
【図１３】図１１に示す補聴器用電磁波遮蔽カバーを補聴器本体に対して装着した状態を模式的に示す概略断面図であ
【図１４】本発明の第３の実施の形態の変形例を示す概略断面図である。
【図１５】導電層のパターン例を示す図である。
【図１６】導電層の他のパターン例を示す図である。
【図１７】従来技術における補聴器と携帯電話機との関係を模式的に示す概略図である。
【符号の説明】
【００８９】
１１，３１，６１，８１  補聴器用電磁波遮蔽カバー
２１，４１，７１，９１Ａ，９１Ｂ  被装材
２３，４３，９３Ａ，９３Ｂ  導電層
４４  接着剤層
４５  剥離紙
５１  補聴器
５２  補聴器本体
５３  受信コイル（誘導磁界受信素子）
５５  音孔
７１ａ  切り込み
Ｇ  開口部
【図１】
2005318341.tif 000003
【図２】
2005318341.tif 000004
【図３】
2005318341.tif 000005
【図４】
2005318341.tif 000006
【図５】
2005318341.tif 000007
【図６】
2005318341.tif 000008
【図７】
2005318341.tif 000009
【図８】
2005318341.tif 000010
【図９】
2005318341.tif 000011
【図１０】
2005318341.tif 000012
【図１１】
2005318341.tif 000013
【図１２】
2005318341.tif 000014
【図１３】
2005318341.tif 000015
【図１４】
2005318341.tif 000016
【図１５】
2005318341.tif 000017
【図１６】
2005318341.tif 000018
【図１７】
2005318341.tif 000019